(57)【要約】      （修正有）【課題】特に自転車やバイクなどの運転時に使用する部品を着脱自在に手袋本体に設置できる、多機能手袋を提供する。【解決手段】手袋本体１０と、展開式ミラーシート２０とを有し、該手袋本体１０は、甲部１１と、手首部１７とを備え、該展開式ミラーシート２０は、前記甲部１１に設置されると共に、該甲部１１に結合される両端と、該手首部１７側に設置されるミラー３０装着面２５とを備えることを特徴とする。【選択図】図３
0003161196.tif 000002
【実用新案登録請求の範囲】
【請求項１】
甲部と、手首部とを備える手袋本体と、
前記甲部に設置されると共に、該甲部に結合される両端と、該手首部側に設置されるミラー装着面とを備える展開式ミラーシートとを有することを特徴とする多機能手袋。
【請求項２】
前記手袋本体は、指部を備え、
前記展開式ミラーシートは、三角形を呈するように山折りできると共に、前記手首部の近傍における前記甲部に結合される固定端と、該甲部における、該指部の近傍に着脱自在に設けられる接着端とを備えることを特徴とする請求項１に記載の多機能手袋。
【請求項３】
前記ミラー装着面にミラーが着脱自在に設けられることを特徴とする請求項１または２に記載の多機能手袋。
【請求項４】
前記甲部は、前記指部の近傍に設置される本体ループテープを備え、
前記展開式ミラーシートは、下面に設けられる固定用フックテープと、前記接着端に設けられると共に、該本体ループテープに着脱自在な結合用フックテープと、前記固定端に位置すると共に、甲部に結合される収納用ループテープとを備えることを特徴とする請求項２に記載の多機能手袋。
【請求項５】
前記展開式ミラーシートは、その下面に位置すると共に、前記指部の近傍に形成されるライト装着面を備え、該ライト装着面に着脱自在にＬＥＤライトが取り付けられることを特徴とする請求項２に記載の多機能手袋。
【請求項６】
前記展開式ミラーシートは、その下面に位置すると共に、前記指部の近傍に形成されるライト装着面を備え、該ライト装着面に着脱自在にＬＥＤライトが取り付けられることを特徴とする請求項４に記載の多機能手袋。
【請求項７】
さらに、前記手袋本体に設けられる掌部と、該掌部に着脱自在に結合されるクッションとを備えることを特徴とする請求項１または２に記載の多機能手袋。
【請求項８】
前記クッションは、その表面に複数の滑り止め凸部が設けられる滑り止め面を備えると共に、中央に位置する、エアマットである２つのマットと、該２つのマットの間に形成されると共に、割れ目状を呈する収縮溝とを備えることを特徴とする請求項７に記載の多機能手袋。
【請求項９】
滑り止め面を備えると共に、前記手首部に位置するように、エアマットである引っ張り部を有することを特徴とする請求項１または２に記載の多機能手袋。
【請求項１０】
滑り止め面を備えると共に、前記手首部に位置するように、エアマットである引っ張り部を有することを特徴とする請求項４に記載の多機能手袋。
【考案の詳細な説明】
【技術分野】
【０００１】
本考案は、特に自転車やバイクなどに乗る時に使用する多機能手袋である。
【背景技術】
【０００２】
従来の自転車やバイクなどには通常、運転手が後方の状況を確認できるように、車体にバックミラーが装備されていると共に、夜道などの暗所においても安全に走行するために、車体にライトが装備されている。
【０００３】
さらに、自転車やバイクなどに乗る時には、車体からの振動を防ぐために、手袋をするが一般的である。
【考案の概要】
【考案が解決しようとする課題】
【０００４】
しかしながら、自転車やバイクなどに乗る時には、運転手がその状況に応じて、バックミラーの角度を調整するが、従来のバックミラーは通常、ハンドルの近傍に固定されているので、調整することが難しいという問題があった。例えば、ロードバイクなどを行っている時は、後方のメンバーを確認する必要があるが、従来のバックミラーは、既に角度が固定され、自由に角度を調整することができないものが殆どであるので、使用上非常に不便であった。
【０００５】
また、自転車やバイクなどのライトは通常、ハンドル近傍に固定されているので、運転手が自らがその状況に応じてライトの角度を調整することは難しかった。
【０００６】
さらに、自転車により長距離走行の訓練をすると、運転手の手に痛みや麻痺などの病状が出ることがよくあることから、従来では、その状況を防ぐために、手袋の裏面に、厚い材質、振動吸収材質やエアクッションなどのものからなる振動吸収作用を有するの敷物を配置する方法が採られていた。
【０００７】
しかしながら、通常、自転車で山や坂を走行する場合には、配置された敷物が手の握力を阻害するので、使い難いという問題があり、また、従来の敷物は、取り外せないように手袋に縫合されているので、機能性が低いという問題があった。
【課題を解決するための手段】
【０００８】
本考案に係る多機能手袋は、手袋本体と、展開式ミラーシートとを有し、その内、手袋本体は、甲部と、手首部とを備え、該展開式ミラーシートは、半分に折畳むように立たせることが可能であると共に、その両端が該甲部に結合され、該手首部側に設置されるミラー装着面を備えることを特徴とする多機能手袋、を提供する。
【０００９】
本考案に係る多機能手袋は、機能性を高めるために、前記手袋本体に指部が設けられ、前記展開式ミラーシートは、山折りされてから三角形となり、前記甲部における、手首部の近傍に結合される固定端と、該甲部における、指部の近傍に着脱自在に設けられる接着端とを備えることが好ましい。
【００１０】
また、前記ミラー装着面に、本考案を使用した運転手がメートル後方の状況などを確認するための、着脱自在に設けられるミラーが設置されるが、手袋を洗濯する時には、鏡面を損害しないように、該ミラーを手袋本体から取り外すことができる。尚、前記ミラーは、凸面鏡であることが好ましい。
【００１１】
前記甲部は、前記指部の近傍に設置される本体ループテープを備え、前記展開式ミラーシートは、その下面に設けられる固定用フックテープと、前記接着端に設けられると共に、該本体ループテープに着脱自在な結合用フックテープと、前記固定端に位置すると共に、甲部に結合される収納用ループテープとを備えることが好ましく、また、前記ミラーを使用しない時は、展開式ミラーシートの固定端の収納用ループテープと接着端の結合用フックテープを結合させると共に、固定用フックテープと本体ループテープとを結合させることにより、鏡面をカバーする。
【００１２】
さらに、夜道などの暗所においても安全に走行するために、前記展開式ミラーシートは、その下面に位置すると共に、前記指部の近傍に形成されるライト装着面を備え、該ライト装着面に着脱自在にＬＥＤライトが取り付けられることが好ましい。
【００１３】
また、自転車やバイクなどの振動による手の痛みや麻痺などの症状を防ぐために、前記手袋本体には掌部が設けられ、該掌部に着脱自在にクッションが結合されるので、快適性を高める。
【００１４】
更に、振動吸収作用と滑り止め作用を具備するために、前記クッションは、表面に複数の滑り止め凸部が設けられる滑り止め面を備えると共に、中央に位置する、エアマットである２つのマットと、該２つのマットの間に形成されると共に、割れ目状を呈する収縮溝とを備えることが好ましい。
【００１５】
それに加え、本考案の使用者の手首を保護するために、滑り止め面を備えると共に、前記手首部にエアマットである引っ張り部を有してもよい。
【考案の効果】
【００１６】
本考案に係る多機能手袋は、上記の課題を解決するものであり、バックミラーとＬＥＤライトがそれぞれ着脱自在に展開式ミラーシートに設置されることから、使用者の手をやや動かせばその角度を調整することができるなど、多機能性を備えたものである。
【図面の簡単な説明】
【００１７】
【図１】本考案に係る多機能手袋の平面図である。
【図２】本考案に係る多機能手袋の底面図である。
【図３】本考案に係る多機能手袋における上面視分解斜視図である。
【図４】本考案に係る多機能手袋における底面視分解斜視図である。
【図５】本考案に係る多機能手袋におけるミラーの使用状態を示す斜視図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１及び図３に示すように、本考案に係る多機能手袋は、手袋本体１０と、展開式ミラーシート２０と、ミラー３０と、ＬＥＤライト４０と、クッション５０と、引っ張り部６０とからなるものである。
【００２０】
図３及び図４に示すように、手袋本体１０は、甲部１１と、掌部１３と、指部１５と、手首部１７とを備え、その内、甲部１１は、該指部１５から手首部１７までの範囲であり、該指部１５の近傍に設置される本体ループテープ１１１を備えるものである。
【００２１】
図３乃至図５に示すように、展開式ミラーシート２０は、甲部１１に設置され、長さが該甲部１１の約２倍である長方形の片体であり、中央部分を山折りにし、両端を該甲部１１に結合させることにより、三角形を呈するものである。また、前記展開式ミラーシート２０は、固定端２１と、接着端２３と、上面に位置すると共に、前記手首部１７側に設置されるミラー装着面２５と、下面に位置すると共に、前記指部１５の近傍に形成されるライト装着面２７とを備えるものである。
【００２２】
その内、前記固定端２１及び該接着端２３は、前記展開式ミラーシート２０を山折りの三角形の状態にして、前記甲部１１に結合され、そのうち固定端２１は、該甲部１１における、前記手首部１７の近傍に縫合されると共に、該接着端２３は、該甲部１１における、該指部１５の近傍に着脱自在に設けられることが好ましい。尚、前記固定端２１及び接着端２３はそれぞれ、前記甲部１１に着脱自在に設けられてもよい。
【００２３】
前記展開式ミラーシート２０は、前記ライト装着面２７の近傍及び山折りにした箇所の近傍に位置すると共に、下面に設けられる固定用フックテープ２９（図４の如く）と、該接着端２３に設けられると共に、該甲部１１における本体ループテープ１１１に着脱自在に結合される結合用フックテープ２Ｂ（図３の如く）と、該固定端２１に位置すると共に、該甲部１１に結合される収納用ループテープ２Ｄとを備える。尚、前記ミラー３０を収納する時は、前記展開式ミラーシート２０の固定端２１の収納用ループテープ２Ｄと接着端２３の結合用フックテープ２Ｂを結合させると共に、固定用フックテープ２９と本体ループテープ１１１とを結合させる。
【００２４】
前記本体ループテープ１１１、固定用フックテープ２９、結合用フックテープ２Ｂ、収納用ループテープ２Ｄはベルクロテープからなるが、該ベルクロテープは周知技術であるので、それらの説明は省略する。
【００２５】
図３及び図５に示すように、ミラー３０は凸面鏡であり、着脱自在にミラー装着面２５上に設置され、また、後方の状況を確認できるように、傾斜的に設置されてもよい。一方、ＬＥＤライト４０は、展開式ミラーシート２０を中央から手前に折り返す、固定端２１の収納用ループテープ２Ｄと接着端２３結合用フックテープ２Ｂを結合させる場合に、着脱自在に前記ライト装着面２７に結合される。
【００２６】
図２及び図３に示すように、クッション５０は、着脱自在に掌部１３に結合される両端と、中間に位置すると共に、それぞれ前記指部１５及び手首部１７の近傍に位置する長方形の２つのマット５１と、該２つのマット５１の間に形成されると共に、割れ目状を呈する収縮溝５２とを備えるものであり、その内、該マット５１は、弾性と靱性とを有するＴＰＵ材料からなるエアマットであり、高周波によって縁部が接着され、その表面に複数の滑り止め凸部を有する滑り止め面５１１が設けられる。
【００２７】
このように、前記収縮溝５２は、割れ目状を呈するので、使用者の手の開閉動作がし易くなる。また、前記収縮溝５２は、使用者が手を握持すると、その握持動作に合せて折れ曲がるので、ハンドルをしっかりと握持することができる。
【００２８】
前記引っ張り部６０は、前記手袋本体１０の下面に設けられると共に、前記手首部１７に位置する、滑り止め面６１を備えるエアマットである。
【００２９】
また、図１に示すように、ミラー３０を使わない時には、展開式ミラーシート２０を中央から手前に折り返し、固定端２１の収納用ループテープ２Ｄと接着端２３の結合用フックテープ２Ｂを結合させると共に、固定用フックテープ２９と本体ループテープ１１１とを結合させることによって、ミラー３０をカバーし、ミラー３０の破損を防止する。さらに、ＬＥＤライト４０をライト装着面２７に設置すれば、ＬＥＤライト４０の使用時に、使用者の手をやや動かして角度を変更させれば、照射方向を調整することができる。
【産業上の利用可能性】
【００３０】
本考案は上記の構成を有するので、手袋本体に着脱自在に結合されるミラー及びＬＥＤライトによって、使用者の手をやや動かして角度を変更させれば、照射方向を調整することができる。
【符号の説明】
【００３１】
１０                手袋本体
１１                甲部
１１１              本体ループテープ
１３                掌部
１５                指部
１７                手首部
２０                展開式ミラーシート
２１                固定端
２３                接着端
２５                ミラー装着面
２７                ライト装着面
２９                固定用フックテープ
２Ｂ                結合用フックテープ
２Ｄ                収納用ループテープ
３０                ミラー
４０                ＬＥＤライト
５０                クッション
５１                マット
５１１              滑り止め面
５２                収縮溝
６０                引っ張り部
６１                滑り止め面
【図１】
0003161196.tif 000003
【図２】
0003161196.tif 000004
【図３】
0003161196.tif 000005
【図４】
0003161196.tif 000006
【図５】
0003161196.tif 000007